(57)【特許請求の範囲】
【請求項１】
液保持性の吸収層及び液不透過性の防漏層を備えた実質的に縦長の吸収性本体と、該吸収性本体の肌当接面側の両側縁部それぞれに沿って略全長に亘って設けられた左右一対のサイドシートとを有する吸収性物品であって、
前記サイドシートに、複数個の曲線状のエンボスラインが平面視では連続せずに長手方向に実質的に連続するよう配置されることによって略波線形状のエンボスパターンが形成され、該エンボスパターンが該サイドシートの長手方向全長の５０％以上に亘って設けられており、
前記エンボスラインは、その両端部それぞれに向かって徐々に細くなっており、該エンボスラインに囲まれた凸部を有する吸収性物品。
【発明の詳細な説明】
【技術分野】
【０００１】
本発明は、生理用ナプキン、パンティライナー、おりものシート、失禁パッド等の吸収性物品に関する。
【背景技術】
【０００２】
生理用ナプキン、パンティライナー、おりものシート、失禁パッド等の吸収性物品において、液保持性の吸収層及び液不透過性の防漏層を備えた実質的に縦長の吸収性本体の肌当接面側の両側縁部それぞれに、吸収層の側縁部の防漏性を向上させるために、左右一対のサイドシート（サイド不織布）が設けられたものが開示されている（例えば特許文献１参照）。
【０００３】
特許文献１記載の吸収性物品においては、サイド不織布及び防漏層である裏面シートが吸収性本体の両側縁部それぞれから幅方向に延出してウイング状フラップを形成している。そして、ショーツへの装着時においてウイング状フラップを外側に引っ張る際にウイング状フラップを構成するサイド不織布と裏面シートとが剥離するのを防止するために、吸収性本体の両側縁部において、裏面シートとサイド不織布とを長手方向に沿う直線状のヒートシールによって固着している。
【０００４】
また、特許文献２には、液透過性の表面材料層に長手方向に連続するまたは長手方向に向かって配列するエンボス圧縮部が形成され、エンボスパターンとして、長手方向に連続する波状の曲線エンボス、線状圧縮部が非圧縮部の周囲を連続して囲むリーフ状のパターン模様や小円形エンボス（点エンボス）が設けられた吸収性物品が開示されている。
【先行技術文献】
【特許文献】
【０００５】
【特許文献１】特開２００２−２７２７８６号公報
【特許文献２】特開２００４−４４６号公報
【発明の概要】
【発明が解決しようとする課題】
【０００６】
しかし、特許文献１記載の吸収性物品においては、サイド不織布に長手方向に沿う直線状に施されたヒートシール部があるため、サイド不織布を着用者の身体に沿って長手方向に湾曲させると、ヒートシール部に皺が入って剛直となり、滑らかに曲げることができない。またヒートシール部が硬く、肌触りが悪い。そして、サイドシートによる吸収層の側縁部の防漏性を更に向上させることが望まれている。
【０００７】
一方、特許文献２記載の吸収性物品においても、装着時にエンボス圧縮部に皺が入りやすく滑らかな湾曲は困難であり、また、表面材料層にエンボス圧縮部が形成されているため、表面材料層に皺が形成されることによって漏れが発生して、液止め効果と柔軟性とを十分に満足するものではない。
【０００８】
従って、本発明の目的は、サイドシートを備えた吸収性物品において、吸収性物品を長手方向に柔らかく曲げることができ、サイドシートの肌触りの低下が少なく、更にサイドシートによる吸収層の側縁部の防漏性に優れた吸収性物品を提供することにある。
【課題を解決するための手段】
【０００９】
本発明は、液保持性の吸収層及び液不透過性の防漏層を備えた実質的に縦長の吸収性本体と、該吸収性本体の肌当接面側の両側縁部それぞれに沿って略全長に亘って設けられた左右一対のサイドシートとを有する吸収性物品であって、前記サイドシートに、複数個の曲線状のエンボスラインが平面視では連続せずに長手方向に実質的に連続するよう配置されることによって略波線形状のエンボスパターンが形成され、該エンボスパターンが該サイドシートの長手方向全長の５０％以上に亘って設けられている吸収性物品を提供することにより、上記目的を達成したものである。
【発明の効果】
【００１０】
本発明の吸収性物品によれば、サイドシートを備えた吸収性物品において、吸収性物品を長手方向に柔らかく曲げることができ、サイドシートの肌触りの低下が少なく、サイドシートによる吸収層の側縁部の防漏性に優れている。
【図面の簡単な説明】
【００１１】
【図１】図１は、本実施形態の吸収性物品を示す平面図である。
【図２】図２（ａ）は図１に示すIIＡ−IIＡ断面図、図２（ｂ）は図１に示すIIＢ−IIＢ断面図である。
【図３】図３は、図１に示す実施形態の吸収性物品におけるエンボスパターン及び中抜きエンボスを示す拡大図である。
【図４】図４は、エンボスラインの断面を模式的に示す断面図である。
【図５】図５（ａ）及び（ｂ）は、種々の形状のエンボスラインの例を示す拡大図である。
【図６】図６（ａ）及び（ｂ）は、種々の形状のエンボスラインの例を示す拡大図である。
【発明を実施するための形態】
【００１２】
以下、本発明の吸収性物品を、その好ましい実施形態である生理用ナプキンについて図面を参照しながら説明する。
本実施形態の生理用ナプキンは、図１〜図３に示すように、液保持性の吸収層Ａ及び液不透過性の防漏層Ｂを備えた実質的に縦長の吸収性本体Ｃと、該吸収性本体Ｃの肌当接面側の両側縁部それぞれに沿って略全長に亘って設けられた左右一対のサイドシート５とを有する生理用ナプキン１であって、前記サイドシート５に、複数個の曲線状のエンボスライン６１〜６３が平面視では連続せずに長手方向に実質的に連続するよう配置されることによって略波線形状のエンボスパターンＰが形成され、該エンボスパターンＰが該サイドシート５の長手方向全長の５０％以上に亘って設けられている。
【００１３】
更に詳述すると、本実施形態の生理用ナプキン１は、図２に示すように、液保持性の吸収層Ａ及び液不透過性の防漏層Ｂを備えている、吸収層Ａは、液透過性の表面シート２及び液保持性の吸収体４とからなり、防漏層Ｂは、液不透過性の裏面シート３からなる。吸収体４は、表面シート２と裏面シート３との間に介在されている。
表面シート２は、吸収体４の上面の全域を被覆しており、吸収体４の側縁から若干延出しているが、裏面シート３とは接触していない。裏面シート３は、吸収体４の下面の全域を被覆し、吸収体４の側縁から外方に延出している。図１及び図２に示すように、吸収層Ａ及び防漏層Ｂから実質的に縦長の吸収性本体Ｃが形成されている。
【００１４】
図１に示すように、吸収性本体Ｃの肌当接面側の両側縁部それぞれには、左右一対のサイドシート５，５が、該両側縁部に沿って略全長に亘って設けられている。また、吸収性本体Ｃの排泄部対向部の位置における両側縁部それぞれには、一対のウイングＤが設けられている。ウイングＤは、図２（ａ）に示すように、裏面シート３における外方部分及びサイドシート５における外方部分５Ｃから形成されている。
裏面シート３とサイドシート５とは、図１及び図２に示すように、吸収性本体Ｃの両側縁及びウイングＤの周縁において接合されてサイドシール部Ｅを形成している。また、表面シート２と裏面シート３とは、図１に示すように、それぞれ吸収体４の前後端から延出し、その延出部分において接合されてエンドシール部Ｆを形成している。
【００１５】
裏面シート３とサイドシート５とは、図２に示すように、吸収性本体Ｃにおける両側縁近傍の領域及びウイングＤの領域において接着剤（図示せず）によっても接合されている。また、サイドシート５は、幅方向内方において吸収体４の上方に位置まで配され、そこで幅方向外方に向けて且つ表面シート２に当接するように折り返され、裏面シート３に当接している。ここで、サイドシート５における折り返された部分５Ａと５Ｂとの間、サイドシート５と裏面シート３との当接部分及びサイドシート５と表面シート２との当接部分についても接着剤により接合されている。サイドシート５における折り返された部分５Ａと５Ｂとは、エンボスライン６１〜６３、中抜きエンボス７１〜７７（後述）によるシールによっても接合されている。
【００１６】
本実施形態の生理用ナプキン１は、吸収性本体ＣおよびウイングＤの非肌当設面に設けられたホットメルト粘着剤（図示せず）により、下着に固定して装着される。
【００１７】
サイドシート５には、図１及び図３に示すように、曲線状のエンボスライン６１〜６３が平面視では連続せずに長手方向に実質的に連続するよう配置されることによって、略波線形状のエンボスパターンＰがサイドシート５の長手方向全長の５０％以上に亘って設けられている。
「平面視では連続せずに長手方向に実質的に連続する」とは、平面視では連続していないが近接し、平面視で、長手方向に直交する（幅方向に延びる）仮想直線を長手方向に移動させる際に必ず曲線状のエンボスラインを横切ることを意味する。このように曲線状のエンボスラインが実質的に長手方向に連続することによって、生理用ナプキンは、その横方向の防漏性を有する。
「長手方向全長の５０％以上」とは、必ずしも１個のエンボスパターンＰのみで長手方向全長の５０％以上に亘っていなくてもよく、複数個のエンボスパターンＰの長手方向に沿う長さの総計がサイドシート５の長手方向全長の５０％以上となっていればよい。８０％以上であると、防漏性が向上し、更に好ましい。
【００１８】
また、「略波線形状」とは、全体として波線形状を有していれば、必ずしも同じ振幅、波長でなくてもよく、つまり曲線が織り成す波状の形状を指し示している。本実施形態においては、エンボスライン６１〜６３の連なった略波線形状のエンボスパターンＰは、図３に示すように、平面視でサイドシート５の長手方向に不連続な複数個のエンボスライン６１、６２及び６３が、サイドシート５の長手方向に実質的に連続するように配置されることにより形成されている。尚、それぞれのエンボスラインの波線形状は同一である必要はない。
【００１９】
詳述すると、エンボスライン６１〜６３は、図３に示すように、サイドシート５の長手方向に沿う直線を２箇所以上横切る形状、具体的には略Ｓ字形状を有しており、直線部分を含んでいない。平面視では、エンボスライン６１とエンボスライン６２とは僅かに交差しているだけであり、エンボスライン６２とエンボスライン６３とは連続していない。しかし、エンボスライン６１とエンボスライン６２とはそれらの長さの約３分の１が長手方向に重複しており、エンボスライン６２とエンボスライン６３とはそれらの端部近傍が重複している。即ち、エンボスライン６１、６２及び６３は長手方向に実質的に連続して、サイドシート５の全長の約２分の１に亘るエンボスパターンＰを形成している。
【００２０】
エンボスパターンＰを形成する各エンボスライン６１、６２及び６３は、その両端部それぞれに向かって徐々に細くなっている。
エンボスライン６１〜６３から構成されるエンボスパターンＰのうち最内部に位置する部位は、サイドシート５の内側縁５Ｄ（図２参照）から幅方向に１０ｍｍ以内に含まれるように配置されることが好ましく、また吸収性本体Ｃの幅方向に沿う幅が３ｍｍ以上であることが好ましい。
エンボスパターンＰは、装着の際の生理用ナプキンの長手方向の湾曲性の観点から、サイドシート５上の厚み方向に吸収体４が存在する領域で形成されていることが好ましい。
【００２１】
図１及び図３に示すように、サイドシート５における平面視で長手方向にエンボスパターンＰが連続していない領域Ｔには、中抜きした形状を有する中抜きエンボス７１、７２が設けられている。中抜きエンボスは、平面視で内側に未エンボス部を有してその周囲をエンボスした平面領域を形成するエンボスパターンであり、中抜きエンボス７１は、花びら形状のエンボスパターンで、６個の中抜きエンボス７１が集合して花柄の中抜きエンボス群を形成している。中抜きエンボス７２は、二股の葉っぱ形状のエンボスパターンである。
【００２２】
本実施形態においては、中抜きエンボス７１，７２を介して、長手方向に隣接するエンボスパターンＰ、Ｐが長手方向に実質的に連続し、エンボスパターンＰ及び中抜きエンボス７１，７２からサイドシート５の長手方向全長に亘って実質的に連続するエンボスパターンが形成されている。
サイドシート５には、さらに防漏性を向上させる工夫として、図３に示すように、前記中抜きエンボス７１、７２の他にも、エンボスパターンＰに幅方向に隣接して、中抜きエンボス７３〜７７及びその他のエンボスが設けられている。このように平面視で非連続でかつ長手方向に実質的に連続になるようにエンボスを配列させることにより、吸収性物品において、吸収性物品を長手方向に柔らかく曲げることができ、サイドシートの肌触りの低下が少なく、サイドシートによる吸収層の側縁部の防漏性に優れたものとすることができる。
【００２３】
表面シートとしては特に制限はなく、本実施形態においては親水性不織布が用いられている。裏面シートとしては特に制限はなく、本実施形態においては防漏性のフィルムシートが用いられている。吸収体としては公知のものが用いられている。サイドシートとしては、不織布やフィルムシート、紙等が挙げられ、防漏性の観点から液不透過性又は難透過性である疎水性不織布、防漏性のフィルムシート等が好ましく用いられ、本実施形態においては疎水性不織布が用いられている。サイドシートは一枚でも良いし、さらに防漏性やクッション性、エンボスの視認性を高めるために２枚以上を組合せてもよい。防漏性を高めるエンボスは２枚以上のシートに対して重ね合わせて施しても良いし、どれか一部の層のみに施しても良い。
【００２４】
エンボスライン６１〜６３及び中抜きエンボス７１〜７７の形成方法には特に制限はなく、本実施形態においてはヒートシールにより曲線状に形成されている。
エンボスライン６１〜６３又は中抜きエンボス７１〜７７は、（エンボスライン６１で代表して説明すると、）図４に示すように、その周縁部分に深く凹んだ深エンボス部６１Ａが形成され、該深エンボス部６１Ａの内側部分に該深エンボス部６１Ａよりも浅く凹んだ浅エンボス部６１Ｂが形成されている。深エンボス部６１Ａは、素材厚みの２０％以下（ｔ１／ｔ０）に圧縮された部位で、浅エンボス部６１Ｂは、素材厚みの１０〜８０％（ｔ２／ｔ０）に圧縮された部位（ただしｔ２＜ｔ１）である。
【００２５】
本実施形態においては、図３に示すように、サイドシート５の素材として長尺素材Ｕを用いている。この長尺素材Ｕは、その幅が完成状態の生理用ナプキン１におけるサイドシート５の幅と同じになっており、エンボスパターンＰ（エンボスライン６１〜６３）及び中抜きエンボス７１〜７７が周期的に（１周期Ｓ）予め形成されている。
この長尺部材Ｕを吸収性本体Ｃの両側縁部にそれぞれ接着剤を用いて接合し、前後端部を所定形状に整形し、エンドシール部Ｆを形成することにより、吸収性本体Ｃの両側縁部にエンボスパターンＰが施されたサイドシール５が設けられた生理用ナプキン１が容易に得られる。
【００２６】
本実施形態の生理用ナプキン１においては、サイドシート５に、曲線状のエンボスラインが連なった略波線形状のエンボスパターンＰがサイドシート５の長手方向全長の５０％以上に亘って設けられている。そのため、不織布からなるサイドシート５自体を伝わる液体の伝搬がエンボスパターンＰのシール部で止められ、サイドシート５の上面を伝わる液体の伝搬がエンボスパターンＰの凹みで止められるため、サイドシート５による吸収層の側縁部の防漏性が優れている。
【００２７】
また、生理用ナプキン１を長手方向に曲げようとしたときに、エンボスパターンＰにおいて各エンボスラインは曲線状であり、且つ平面視で不連続（離れている）なので、曲げに対する抵抗力が分散され、エンボス自体が皺になり難い。そのため、該長手方向の曲げ抵抗が働き難く、柔らかく曲げることができる。
更に、サイドシート５には、エンボスパターンＰが略波線形状に形成されており、エンボス以外の部分に皺が形成され易いため、エンボス自体に硬い皺ができ難くて柔らかい皺が多く、肌触りが低下し難い。また、サイドシート５にエンボスパターンが形成されているため、表面シート２には皺が入りにくい。
【００２８】
エンボスライン６１〜６３が両端部に向かって徐々に細くなっている形状を有していると、両端部の細い部分で折れ曲がるため太い部分が隆起し難く、柔軟性が低下し難い。平面視で長手方向にエンボスパターンＰが連続してしない領域においても、中抜きエンボス７１、７２を介して、隣接するエンボスパターンＰが連結している（長手方向に実質的に連続している）ため、サイドシート５による吸収層の側縁部の防漏効果が十分に得られる。
中抜きエンボスが設けられた領域においては、エンボス部分は隆起せず、中抜きされた領域が柔らかく盛り上がるため、柔軟性をさほど低下させることなく、エンボスによる液体の伝搬防止効果を得られる。
【００２９】
本発明の吸収性物品は、前記実施形態に制限されることなく、本発明の趣旨を逸脱しない限り、適宜変更が可能である。
本発明の吸収性物品は、生理用ナプキン以外に、パンティライナー、おりものシート、失禁パッド等にも適用することができる。特に２ｍｍ以上の厚さを有する吸収性物品、１５０ｍｍ以上の長さを有する吸収性物品、５０ｍｍ以上の幅を有する吸収性物品において良好に適用することができる。
【００３０】
エンボスパターンにおいては、防漏性と柔軟性を達成する方法として、図５（ａ）に示すような、端部を３つ以上に増やした略波線形状のエンボスラインを組み入れる事ができる。このようなラインを選定することにより吸収性物品の横手方向に対するエンボス領域を増やすことができ、吸収性物品の長手方向に対する折り曲げ性とサイドシートの肌触り性を低下させることなしに防漏性を向上させることができる。またエンボスパターンは、変曲点が１個のエンボスラインを複数個配置させて形成することもできる。
【００３１】
エンボスライン及び中抜きエンボスは、スポット状のエンボスを互いに隣接するように設け、全体として曲線状に形成することができる。
エンボスライン又は中抜きエンボスにより、サイドシートと表面シートとを接合することもできる。
また、エンボスラインに中抜きエンボスを採用する場合には、深エンボス部ではサイドシート５の折り返し部分５Ａと５Ｂとを接合し、浅エンボス部ではサイドシート５同士を接合しない範囲で圧縮加工を行うようにしてもよい。このような接合形態によれば、良好な接合強度が得られると共に、接合一体化された部位（深エンボス部）と、防漏効果が期待できる程度に圧縮加工された部位（浅エンボス部位）とにより良好な防漏性が得られ、しかも硬くなりやすい接合部を少なくすることでき、柔軟性を併せ持つことができる。
【００３２】
種々の形状のエンボスラインの例を図面を参照しながら説明する。
図５（ａ）に示すエンボスライン６４は、端部を４つ有している。このような４つの端部に分かれて形成されているエンボスライン６４では、多方向に細い領域が延びているため、前述した太い部分が隆起し難く、柔軟性が低下し難い効果に加えて、一定方向に皺が発生しにくくなるため、肌触りと防漏性の低下を防ぐ効果を得ることができる。端部が３つ又は５つ以上を有するエンボスラインを含むこともできる。
また、図５（ｂ）に示すエンボスライン６５は、その中央部が徐々に細くなるよう形成されている。このようなエンボスライン６５では、中央部にて幅が細く形成されているため、皺は発生しにくく、長手方向に曲げやすい領域を形成することができるとともに、非常に高度な組合せをもつパターンとなるため、好印象を使用者に与えることができる。
【００３３】
図６（ａ）に示すエンボスライン６６Ａ、６６Ｂは、互いに交差し、エンボスライン６６Ａ、６６Ｂに囲まれた凸部６６Ｃを有している。このようなエンボスライン６６Ａ、６６Ｂでは、吸収性物品の湾曲に対して抵抗力が分散され、スムーズに曲がりにくくなり、また凸部６６Ｃによる感触が向上する。
図６（ｂ）に示すエンボスライン６７は、エンボスライン６７Ａに囲まれた凸部６７Ｂを内側に有している。このような形状とすることによって、前述した太い部分が隆起し難く、柔軟性が低下し難い効果をより高めることができる。
【００３４】
表面シートの裏面側に更に別のセカンドシートを配することもできる。その場合には、表面シート、サイドシート及びセカンドシートの内の何れか２つのシートを接合すればよい。
エンボスパターンには、連続的又は断続的な直線状の部分があってもよい。その場合には、折り曲げ易さの効果を充分に得るために、該直線状の部分（断続的な場合はその総計）をサイドシートの長手方向全長の５０％以下又は５ｃｍ以下とすることが好ましい。
サイドシート５の内側縁５Ｄに弾性体を配置して、該内側縁５Ｄにギャザーを形成することもできる。
【符号の説明】
【００３５】
１  生理用ナプキン（吸収性物品）
２  表面シート
３  裏面シート
４  吸収体
５  サイドシート
６１、６２、６３  エンボスライン
７１、７２、７３、７４、７５、７６、７７  中抜きエンボス
Ａ  吸収層
Ｂ  防漏層
Ｃ  吸収性本体
Ｄ  ウイング
Ｅ  サイドシール部
Ｆ  エンドシール部
Ｐ  エンボスパターン
【図１】
0004823332.tif 000002
【図２】
0004823332.tif 000003
【図３】
0004823332.tif 000004
【図４】
0004823332.tif 000005
【図５】
0004823332.tif 000006
【図６】
0004823332.tif 000007